(57)【要約】      （修正有）【課題】最低限の物理面付けデータの修正のみで物理面付けデータを再作成して印刷できるようにすること。【解決手段】文書データを受信することにより、文書データの面付け情報が作成され、文書データと面付け情報をフォームＸＯｂｊｅｃｔ形式で格納することによりテンプレート化して物理面付けデータが作成される。このとき、文書のページ情報および物理面付けデータの関連情報と共に物理面付けデータの各ページが改変されたかどうかを示す改変確認情報が作成される。物理面付けデータ作成過程では、作成済みの物理面付けデータがある場合、改変確認情報により改変が確認された物理面付けデータのページおよびユーザが新たに面付けデータを作成したページに対応するページのみを修正して、物理面付けデータを再作成する。【選択図】図５
2007249403.tif 000002
【特許請求の範囲】
【請求項１】
文書データの各論理ページをオブジェクト化し、任意の物理ページで利用可能な形式に変換する変換手段と、
前記変換手段によりオブジェクト化された各論理ページと、物理ページにおける描画位置との関係を含む面付け情報を作成する面付け情報生成手段と、
前記オブジェクト化された各論理ページと前記面付け情報とを含む物理面付けデータを出力する物理面付けデータ出力手段と、
前記物理面付けデータを再作成する制御手段を有し、
前記面付け情報生成手段は、前記面付け情報と共に前記物理面付けデータの各ページが改変されたかどうかを示す改変確認情報を作成し、
前記制御手段は、作成済みの物理面付けデータの改変確認情報に基づいて改変が確認された場合、前記改変が確認された物理面付けデータのオブジェクト化された論理ページ、または改変が確認された物理ページの面付け情報を修正して、物理面付けデータを再作成することを特徴とする画像データ処理システム。
【請求項２】
前記物理面付けデータ出力手段は、前記面付け情報を前記物理面付けデータ内に保存することを特徴とする請求項１の画像データ処理システム。
【請求項３】
前記物理面付けデータに含まれる各論理ページは、ポータブル・ドキュメント・フォーマット又はビットマップであることを特徴とする請求項１の画像データ処理システム。
【請求項４】
前記物理面付けデータの各論理ページが改変されているときは、そのデータを表示して確認することを特徴とする請求項１の画像データ処理システム。
【請求項５】
前記改変確認情報は、前記オブジェクト化された論理ページと前記面付け情報から算出されたハッシュ値であることを特徴とする請求項１の画像データ処理システム。
【請求項６】
前記物理面付けデータは、フォームＸＯｂｊｅｃｔ形式により作成されることを特徴とする請求項１の画像データ処理システム。
【請求項７】
文書データの各論理ページをオブジェクト化し、任意の物理ページで利用可能な形式に変換する変換ステップと、
前記変換手段によりオブジェクト化された各論理ページと、物理ページにおける描画位置との関係を含む面付け情報を作成する面付け情報生成ステップと、
前記オブジェクト化された各論理ページと前記面付け情報とを含む物理面付けデータを出力する物理面付けデータ出力ステップと、
前記物理面付けデータを再作成する制御ステップを有し、
前記面付け情報生成ステップは、前記面付け情報と共に前記物理面付けデータの各ページが改変されたかどうかを示す改変確認情報を作成し、
前記制御ステップは、作成済みの物理面付けデータの改変確認情報に基づいて改変が確認された場合、前記改変が確認された物理面付けデータのオブジェクト化された論理ページ、または改変が確認された物理ページの面付け情報を修正して、物理面付けデータを再作成することを特徴とする画像データ処理方法。
【請求項８】
前記物理面付けデータ出力ステップは、前記面付け情報を前記物理面付けデータ内に保存することを特徴とする請求項７の画像データ処理方法。
【請求項９】
前記物理面付けデータに含まれる各論理ページは、ポータブル・ドキュメント・フォーマット又はビットマップであることを特徴とする請求項７の画像データ処理方法。
【請求項１０】
前記物理面付けデータの各論理ページが改変されているときは、そのデータを表示して確認することを特徴とする請求項７の画像データ処理方法。
【請求項１１】
前記改変確認情報は、前記オブジェクト化された論理ページと前記面付け情報から算出されたハッシュ値であることを特徴とする請求項７の画像データ処理方法。
【請求項１２】
前記物理面付けデータは、フォームＸＯｂｊｅｃｔ形式により作成されることを特徴とする請求項７の画像データ処理方法。
【発明の詳細な説明】
【技術分野】
【０００１】
本発明は、物理面付けデータを作成する画像データ処理システムおよび画像データ処理方法に関する。
【背景技術】
【０００２】
物理面付けデータとは、原稿文書を面付けして印刷するのに必要な全ての情報を含むデータである。従来、ＰＯＤ（プリント・オン・デマンド）で物理面付けデータを作成する際には、原稿文書の各ページをどこに面付けするかをユーザの指定に合わせて作成した。処理としては主に２種類あり、（１）面付けアプリケーションソフトでユーザ指定の面付け情報と文書データを印刷装置に送信し、印刷装置側で面付け情報に基づき文書データから物理面付けデータを作成して印刷する（例えば、特許文献１）。または、印刷装置側の処理を軽減する目的で、（２）面付けアプリケーションソフトでユーザ指定の面付け情報からプリンタドライバを用いてそれを反映した物理面付けデータを作成した後に、それを印刷装置に送信して印刷する（例えば、特許文献２）。
【０００３】
一方、文書を入稿してから印刷を行うまでに何らかの修正が行われる可能性は５０％以上といわれ、工程完了間際まで面付けレイアウト変更など、何らかの修正が行われている可能性が高い。印刷してから再度、面付けレイアウトを変更した場合、前記（１）のシステムのときは、修正した面付け情報と文書を再度、印刷装置に送信して、印刷装置内で物理面付けデータを作成しなおして印刷を行う。同様に（２）のシステムの場合は、修正した面付け情報により再度プリンタドライバを用いて物理面付けデータを作成しなおして印刷装置に送信する。
【０００４】
【特許文献１】特開２００２−２７８７２１号公報
【特許文献２】特開平１１−９９７２３号公報
【発明の開示】
【発明が解決しようとする課題】
【０００５】
しかしながら上記（１）のシステムでは、面付け情報は印刷指示書（ジョブチケット）として記述されるが、実際の描画データとの関連性は記述されていない。したがって、面付け自体を変更する場合は対応できるが、ページ順を入れ替えたり、ページ内容を入れ替えたりするためには、新たに文書データと面付け情報を生成しなければならないという問題がある。
【０００６】
また、上記（２）のシステムにおいて高解像度のカラーイメージなどを多く含む文書などの場合、物理面付けデータを作成しなおすのに非常に時間がかかるという問題がある。また、ファイル出力された物理面付けデータが改変されてしまい、面付けデータと面付け情報との整合性が取れなくなってしまう問題がある。さらに、一度作成した物理面付けデータを、再利用して、新たな物理面付けデータを再作成することが困難であるという問題がある。
【０００７】
本願発明は、ページ順の入れ替えやページ内容を入れ替えるページハンドリングが行われる場合にも、面付け情報の簡易な修正により対応するための仕組みを提供することを目的とする。
【課題を解決するための手段】
【０００８】
上記の問題点を解決するため、本発明の画像データ処理システムは、文書データの各論理ページをオブジェクト化し、任意の物理ページで利用可能な形式に変換する変換手段と、変換手段によりオブジェクト化された各論理ページと、物理ページにおける描画位置との関係を含む面付け情報を作成する面付け情報生成手段と、オブジェクト化された各論理ページと面付け情報とを含む物理面付けデータを出力する物理面付けデータ出力手段と、物理面付けデータを再作成する制御手段を有し、面付け情報生成手段は、面付け情報と共に物理面付けデータの各ページが改変されたかどうかを示す改変確認情報を作成し、制御手段は、作成済みの物理面付けデータの改変確認情報に基づいて改変が確認された場合、改変が確認された物理面付けデータのオブジェクト化された論理ページ、または改変が確認された物理ページの面付け情報を修正して、物理面付けデータを再作成することを特徴とする。
【０００９】
また上記の問題点を解決するため、本発明の画像データ処理方法は、文書データの各論理ページをオブジェクト化し、任意の物理ページで利用可能な形式に変換する変換ステップと、変換手段によりオブジェクト化された各論理ページと、物理ページにおける描画位置との関係を含む面付け情報を作成する面付け情報生成ステップと、オブジェクト化された各論理ページと面付け情報とを含む物理面付けデータを出力する物理面付けデータ出力ステップと、物理面付けデータを再作成する制御ステップを有し、面付け情報生成ステップは、面付け情報と共に物理面付けデータの各ページが改変されたかどうかを示す改変確認情報を作成し、制御ステップは、作成済みの物理面付けデータの改変確認情報に基づいて改変が確認された場合、改変が確認された物理面付けデータのオブジェクト化された論理ページ、または改変が確認された物理ページの面付け情報を修正して、物理面付けデータを再作成することを特徴とする。
【発明の効果】
【００１０】
再編集の際に最低限の修正のみで物理面付けデータを再作成できるようになり、処理時間を短縮することができる。
【００１１】
また、外部にファイル出力された物理面付けデータが外部アプリケーションによって変更された場合にも最低限の修正のみで面付けデータの再作成を行うことができ、処理時間を短縮することができる。
【発明を実施するための最良の形態】
【００１２】
（実施例１）
以下、本発明の一実施例について説明する。
【００１３】
本実施例に係る印刷システムのハードウェア構成を図１に示し、本実施例に係る印刷システムの処理モジュール構成を図８に示す。本実施例では、印刷システムのハードウェアは、ＣＰＵ１０１、キーボード１０２、ディスプレイ１０３、ハードディスク１０４、ＲＯＭ１０５、ＲＡＭ１０６、および印刷装置１１０から構成されている。また、本実施例では、印刷システムの処理モジュールは、物理面付けデータ作成部８０１、物理面付けデータ出力部８０２、および印刷部８０３から構成されている。
【００１４】
図２Ａおよび図２Ｂは、本実施例の印刷処理を示すフローチャートである。以上の図を参照して、本発明の好適な実施例を説明する。
【００１５】
以下、入稿された文書から物理面付けデータを作成する処理、その後再編集して物理面付けデータを再作成する処理について図８の物理面付けデータ作成部８０１の動作に関して詳細に説明する。ここでは、面付けアプリでユーザ指定の面付け情報からそれを反映した物理面付けデータを作成した後に、それを印刷装置に送信して印刷する実施例について説明する。
【００１６】
まず初めに、ステップＳ２０１で物理面付けデータを作成する。物理面付けデータ作成の詳細に関しては、図３のフローチャートを用いて説明する。
【００１７】
ステップＳ３０１では、文書の各ページ内の描画オブジェクトをそれぞれまとめてテンプレート化する。このように各論理ページをテンプレート化することにより、任意の物理ページから描画要求として呼び出すことが可能となる。
【００１８】
次にステップＳ３０２で、テンプレートの集合として物理面付けデータを作成する。
【００１９】
文書データがＰＤＦ（ポータブル・ドキュメント・フォーマット）の場合の物理面付けデータの作成例を図５に示す。図５にはＰＤＦ文書の１ページ目５０１、１ページ目に属する全ての描画オブジェクトについてどのように描画すべきかを記述したコンテンツ情報５０２、および描画オブジェクトのイメージデータ、フォントデータなどのリソース情報５０３を示す。ＰＤＦでは、ページ毎にこのコンテンツ情報とリソース情報を用いて文書内容を示す。ＰＤＦ文書の２ページ目５０４も同様にコンテンツ情報とリソース情報を含む。
【００２０】
従来の技術において、物理面付けデータをＰＤＦで作成する場合に、たとえば文書データの１〜２ページを２面付けする方法について説明する。この場合、１ページ目のコンテンツ情報と２ページ目のコンテンツ情報、１ページ目のリソース情報と２ページ目のリソース情報をあわせて物理面付けされた１ページを作成する。すなわち、従来の技術では、物理的に１枚の印刷用紙の１面に相当する物理ページは、コンテンツ情報と、リソース情報とを含む。そして、コンテンツ情報、およびリソース情報は、物理ページ上の位置や大きさを考慮したものとなっている。
【００２１】
これに対して、本実施例の物理面付けデータ作成処理では実際の描画内容であるコンテンツ情報などをひとつに集めてしまうのではなく、ページ５０６のように論理ページ毎にフォームＸＯｂｊｅｃｔ形式で格納することによりテンプレート化する。これは本来フォームを各ページに共有化し、任意のタイミングで呼び出すために行われるものであるが、物理面付けデータを再作成するために文書のコンテンツ情報が独立した形を保つことができるようにするため流用する（Ｓ３０１）。そしてそのテンプレートの集合として物理面付けデータを作成する（Ｓ３０２）。物理面付けデータの１ページ目の面付け情報５０５に、テンプレート化した文書の各ページ５０６を、どこに配置してどの順番に描画するかを指定するための物理面付けデータが作成される。具体的には、面付け情報５０５のページ１（物理ページ１）には、コンテンツ情報として、ＸＯｂｊｅｃｔ形式のページ１を描画（Ｄｏ）し、続いてＸＯｂｊｅｃｔ形式のページを描画することが記述される。すなわち、面付け情報５０５には、テンプレート文書と物理ページ内の配置座標の関係を示す描画属性と、描画順序とが記述されている。それによって物理面付けデータを作成しても、元の文書のページと物理面付けデータのページ番号及び付随する情報との対応を認識することが可能になる。
【００２２】
次にステップＳ３０３で文書の各ページと物理面付けデータ内のテンプレートとの関係を面付け情報５０５として記録する。図６は本実施例の２面付けした場合の面付け情報５０５に記述される描画属性の一例である。面付け情報は、入稿された文書６０１のページ番号６０３、Ｓ３０２で面付けデータが作成されたときの文書のページ番号に対応する物理面付けデータ６０２のページ番号６０４、及び付随する情報を含む。付随する情報は、面付けされたデータの属性６０５、面付けされた位置を示す座標６０６、面付けされたときの回転角６０７、物理面付けデータが改変されたか、されていないかを検知するための改変確認情報であるハッシュ値６０８である。
【００２３】
例えば、文書の１ページ目のデータは、物理面付けデータの１ページ目に、ＰＤＦのフォームＸＯｂｊｅｃｔ形式で格納されている。他の形式としては、例えばＲＩＰ（ラスタ画像処理）してビットマップ化したビットマップ形式を使用することもできる。また、物理面付けページ内での位置は、左下、右上の座標それぞれ（０，０）、（４２１、５９５）と示されている。単位は、１／７２ｉｎｃｈである。これらの座標で特定される矩形に文書の１ページ目が収まっている。回転角は０度で、回転は無い。
【００２４】
次にステップＳ３０４で、物理面付けデータ内の各ページになされた改変を検知するための情報を面付け情報に記憶する。本実施例では、物理面付けデータの各ページのデータからハッシュ値を読み取り、面付け情報に記録する。例えば、物理面付けデータ１ページ目の面付け情報５０５、および１ページ内に含まれるテンプレート化したフォームＸＯｂｊｅｃｔデータ５０６などを合わせてハッシュ値を計算して面付け情報内に対応するハッシュ値６０８として記録する。ハッシュ値の計算手法自体は公知であるため、詳細な説明は省略する。
【００２５】
次にステップＳ３０５で、上記より得られた面付け情報を物理面付けデータに埋め込むか物理面付けデータに関連付けて管理する。面付けデータがＰＤＦの場合は、ファイル添付機能、ビットマップの場合は、電子透かしなどを使って面付け情報を埋め込む。
【００２６】
次にステップＳ３０６で、すべての物理面付けデータを作成したか確認し、すべて終了していれば物理面付けデータ作成処理を終了してステップＳ２０２に進む。終了していなければステップＳ３０２に戻ってまだ面付けしていないページの面付けデータを作成する。
【００２７】
図２Ａのフローチャートの物理面付けデータ作成処理ステップＳ２０１が終了したので次にステップＳ２０２に進む。Ｓ２０２では、物理面付けデータ出力部８０２で、印刷装置８０３に物理面付けデータを送信して印刷を行う。
【００２８】
次にステップＳ２０３で文書データ、物理面付けデータ、面付け情報を保存する。保存は物理面付けデータ出力部８０２を介して出力し、外部ファイルとする。すべてをアーカイブしてまとめて管理しても良い。
【００２９】
次に図２ＢのステップＳ２０４で、編集時に文書データ、物理面付けデータ、面付け情報がメモリ上に無ければ、外部ファイルに出力して保存されていた以前のデータを読み込む。
【００３０】
次にステップＳ２０５で物理面付けデータの整合性をチェックする。例えば、ステップＳ２０３で外部にファイル出力されていた物理面付けデータが改変されていないかの確認をする。物理面付けデータ内の各ページのハッシュ値を計算し、物理面付けデータ内に格納されている面付け情報を取り出し、その中のハッシュ値と比較する。同一であれば改変されていないので、そのまま使用することができる。ハッシュ値が異なるときは、その物理面付けデータの対象ページは改変されたことになる。
【００３１】
次にステップＳ２０６で、物理面付けデータを再作成する。ステップＳ２０４〜Ｓ２０６の物理面付けデータの再作成処理の詳細を図４のフローチャートを参照して説明する。
【００３２】
ステップＳ４０１で、文書データに対応する過去に作成した物理面付けデータが存在するか確認する。物理面付けデータが存在しない場合は、ステップＳ４０８へ進んで、物理面付けデータを最初から作成する。ステップＳ２０３で外部にファイル出力して物理面付けデータが存在している場合は、それを読み込んで使用する。あるいはすでにメモリ上に取り込まれている場合はそのままこれを使用することとして、ステップＳ４０２に進む。
【００３３】
ステップＳ４０２で、文書データに対応する面付け情報が存在するか確認する。例えば、面付け情報が存在する場合には、以下の場合がある。すなわち、アプリケーションソフトですでに使用しているか、または面付け情報のまま外部から入力するかもしくは物理面付けデータ内に埋め込まれている面付け情報を取り出すことができる場合である。いずれかにより文書に対応する面付け情報を使用することができる場合には、ステップＳ４０３へ進む。面付け情報が存在していない場合は、ステップＳ４０８に進んで、物理面付けデータを最初から作成する。
【００３４】
ステップＳ４０３では、物理面付けデータが改変されていないかどうかを確認する。物理面付けデータのページ毎にハッシュ値を計算し、面付け情報内に記録されているハッシュ値と比較する。同一であれば改変されていないことになり、そのまま使用できる。ハッシュ値が異なるときは、その物理面付けデータのページは改変されたことになる。
【００３５】
改変されていないときはステップＳ４０４に進み、新たに修正した面付けに対応する物理面付けデータのみ再作成を行う。
【００３６】
例えば、図７は文書が２ページからなり１ページ目に「あ」、２ページ目に「い」という文字が存在している例である。第１回目の面付けデータ作成時（ステップＳ２０１）に作成した物理面付けデータが右上のページで「あ」「い」の順に上から面付けされている。印刷指示を行い（ステップＳ２０２）、文書データ、物理面付けデータ、面付け情報をファイル出力して保管する（ステップＳ２０３）。その後、印刷物をチェックして、間違いを発見し、もしくは注文の変更があり、物理面付けデータを再作成して印刷をやり直す場合を想定する。ステップＳ２０３で保管した文書データ、物理面付けデータ、面付け情報を入力し(ステップＳ２０４)、面付けデータの整合性を確認する(ステップＳ２０５)。特に改変されていないことが確認された場合は、面付けの間違いを修正する。この場合は、面付けを修正して２ページ目の「い」を１８０度回転している。面付けの間違いを修正した結果を示す図が右下の図となる。この修正は、図５の物理面付けデータの面付け情報５０５内の文書の２ページ目に相当するテンプレートの回転情報を０度から１８０度回転に変えるだけで可能である。原稿が２０００ページあるような大量の文書の場合、そこから作成される物理面付けデータ１０００ページのうち、最初の１ページ目のみを変更すればよいので、処理時間をかなり短縮することが可能である。これで物理面付けデータの編集を終了する（ステップＳ２０７）。
【００３７】
ステップＳ４０３で物理面付けデータが改変されている場合、ステップＳ４０５に進む。ステップＳ４０５では、物理面付けデータの改変を反映さてデータを作成するか否かを、たとえばディスプレイ上に物理面付けデータを表示するなどしてユーザに確認を取る。改変を反映する場合は、ステップＳ４０６に進む。
【００３８】
ステップＳ４０６では、改変された物理面付けデータのページ部分はそのままで、新しく面付け修正した部分の物理面付けデータのページのみ再作成する。
【００３９】
たとえば、改変された物理面付けデータが５ページ目のデータであり、５ページ目のデータをユーザがディスプレイで確認し、そのまま反映させると決めたとする（ステップＳ４０５）。更にユーザが前述のＳ４０４で説明したように物理面付けデータの１ページ目を修正したとすると、１ページ目のデータのみ修正して物理面付けデータの再作成が終了する。５ページ目に関しては改変されているがそのままでよいとユーザが判断したため修正されないのである。
【００４０】
文書が２０００ページあった場合、そこから作成される物理面付けデータ１０００ページのうち、最初の１ページ目のみを変更すればよいので、処理時間をかなり短縮することが可能である。これで物理面付けデータの再作成を終了する（ステップＳ２０７）。
【００４１】
ステップＳ４０５で、ユーザは物理面付けデータの改変を反映しない場合は、ステップＳ４０７に進み、改変された物理面付けデータのページ及び新たに面付け修正した部分の物理面付けデータのページのみ再作成する。
【００４２】
たとえば、改変されたのが物理面付けデータの５ページ目であり。５ページ目のデータをユーザはディスプレイで確認し、反映させないと決めたとする（ステップＳ４０５）。更にユーザが前述のＳ４０４で説明したように物理面付けデータの１ページ目を修正したとすると、ユーザが修正した１ページ目と物理面付けデータの改変されていた５ページ目のデータのみ修正して物理面付けデータの再作成が終了する（ステップＳ２０７）。５ページ目に関しては面付け情報から対応する文書上のページ番号が分かるので面付け指示に従って再度５ページ目の物理面付けデータを作成しなおして５ページ目のみ入れ替える。
【００４３】
文書が２０００ページある場合、そこから作成される物理面付けデータ１０００ページのうち、最初の１ページ目と５ページ目のみを変更すればよいので、処理時間をかなり短縮することが可能である。これで物理面付けデータの再作成を終了する。
【００４４】
以上説明したように本実施例によれば、再編集の際に最低限の修正のみで物理面付けデータを再作成できるようになり、処理時間を短縮することができる。また、物理面付けデータが作成された後の改変が加えられているかどうかを知ることができるのでユーザフレンドリーかつ効率的な処理が可能となる。
【００４５】
（実施例２）
以下、本発明の実施例２について説明する。
【００４６】
実施例１では、物理面付けデータがＰＤＦになっている例を説明したが、原稿文書の各ページをＲＩＰしてビットマップ化し、それを面付け情報に従って配置して物理面付けデータを作成する場合でも同様の効果が得られる。
【００４７】
図６の面付け情報において、例えば物理面付けデータ名６０２は、面付けデータ．ｊｐｇ、物理面付けデータの属性６０５はビットマップになる。
【００４８】
例えば図７のような２面付けであれば文書１ページ目の「あ」をＲＩＰしてビットマップにしたものと同じく２ページ目の「い」をビットマップ化したものを、面付け情報に従って張り合わせる。そして、右上のように上から「あ」「い」となるように物理面付けデータを作成する。
【００４９】
改変検知するためのハッシュ値も作成されたビットマップに関して取得し、面付け情報に記録する(図６のハッシュ値６０８)。
【００５０】
面付けが変更された場合は、それに対応する文書のページをＲＩＰしてビットマップとし、対応する物理面付けデータのみ修正して置き換えることで実施例１と同じように動作し、同様の効果が得られる。
【００５１】
（実施例３）
以下、本発明の実施例３について説明する。
【００５２】
実施例１では、面付け情報を変更する例を示したが、文書の描画内容を編集した場合も、物理面付けデータ内の対応するページのみ再作成することで、実施例１と同様の効果が得られる。
【図面の簡単な説明】
【００５３】
【図１】本実施形態のハードウェア構成を示すブロック図である。
【図２Ａ】本実施形態の物理面付けデータ作成処理を示すフローチャートである。
【図２Ｂ】本実施形態の編集後の物理面付けデータ再作成処理を示すフローチャートである。
【図３】本実施形態の物理面付けデータ作成処理を示すフローチャートである。
【図４】本実施形態の物理面付けデータ再作成処理を示すフローチャートである。
【図５】本実施形態の文書と物理面付けデータがＰＤＦで作成される場合を示す図である。
【図６】本実施形態の文書と物理面付けデータの関係を示す面付け情報を示す図である。
【図７】本実施形態の文書を面付けした状態、それを更に面付け編集した場合を示す図である。
【図８】本実施形態の処理モジュール構成を示すブロック図である。
【符号の説明】
【００５４】
１０１  ＣＰＵ
１０２  キーボード
１０３  ディスプレイ
１０４  ハードディスク
１０５  ＲＯＭ
１０６  ＲＡＭ
１０８  各種データを転送するデータバス
１１０  印刷装置
５０１  原稿文書がＰＤＦであった場合の１ページ目を示す図
５０２  コンテンツ情報
５０３  リソース情報
５０４  ２ページ目のコンテンツ情報とリソース情報
５０５  物理面付けデータの１ページ目の面付け情報
５０６  テンプレート化した文書の各ページ
６０１  入稿された原稿文書名
６０２  物理面付けデータ名
６０３  文書のページ番号
６０４  物理面付けデータのページ番号
６０５  属性
６０６  座標
６０７  回転角
６０８  ハッシュ値
８０１  物理面付けデータ作成部
８０２  物理面付けデータ出力部
８０３  印刷部
【図１】
2007249403.tif 000003
【図２Ａ】
2007249403.tif 000004
【図２Ｂ】
2007249403.tif 000005
【図３】
2007249403.tif 000006
【図４】
2007249403.tif 000007
【図５】
2007249403.tif 000008
【図６】
2007249403.tif 000009
【図７】
2007249403.tif 000010
【図８】
2007249403.tif 000011